【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
長さ（ｘ）および幅（ｙ）を有するように構成された基部と、
長さ（ｘ’）および幅（ｚ）を有するように構成された縦置き部材とを備え、前記基部および前記縦置き部材は、規定された空間関係を有し、前記規定された空間関係では、
前記基部の前記長さ（ｘ）が、前記縦置き部材の前記長さ（ｘ’）と実質的に等しく、
前記基部の前記長さ（ｘ）が、前記基部の前記幅（ｙ）と前記縦置き部材の前記幅（ｚ）の合計と実質的に等しく、そのため様々な家具構成を形成することができることを特徴とする、モジュール家具アセンブリ。
【請求項２】
前記基部は、前記縦置き部材のほぼ平坦な部分に当接する少なくとも１つのほぼ平坦な部分を備えることを特徴とする、請求項１に記載のアセンブリ。
【請求項３】
前記縦置き部材および前記基部へとそれぞれ取外し可能に結合される、第１および第２の取外し可能なライナをさらに備えることを特徴とする、請求項１に記載のアセンブリ。
【請求項４】
前記縦置き部材は、長手軸が支持面の平面と直交するよう位置決めされるように構成されることを特徴とする、請求項１に記載のアセンブリ。
【請求項５】
前記縦置き部材は、背もたれまたは肘掛けとなるように位置決めすることができることを特徴とする、請求項１に記載のアセンブリ。
【請求項６】
前記基部のフレームおよび前記縦置き部材のフレームがそれぞれ、前記結合具の一部分をその中に受ける対応する開口を有することを特徴とする、請求項１に記載のアセンブリ。
【請求項７】
（ｉ）前記基部が相互交換可能となるように、前記第１の基部部材と実質的に同一の構成を有する第２の基部、ならびに（ｉｉ）前記縦置き部材が交換可能となるように、かつ、様々な異なる家具アセンブリを形成することができるように、前記第１の縦置き部材と実質的に同一の構成を有する第２の縦置き部材の、少なくとも一方をさらに備えることを特徴とする、請求項１に記載のアセンブリ。
【請求項８】
前記縦置き部材が交換可能となるように、かつ、前記第１、第２、および第３の縦置き部材をそれぞれ背もたれおよび肘掛けの少なくとも一方として使用することができるように、前記第１および第２の縦置き部材と同一の構成を有する、第３の縦置き部材をさらに備えることを特徴とする、請求項７に記載のアセンブリ。
【請求項９】
前記基部が、
フレームアセンブリと、
前記フレームアセンブリ上に取り付けられたクッションとを備えることを特徴とする、請求項１に記載のアセンブリ。
【請求項１０】
前記クッションが、様々なタイプの緩衝材料を含むことを特徴とする、請求項９に記載のアセンブリ。
【請求項１１】
前記クッションの少なくとも一部が形状記憶発泡体であることを特徴とする、請求項１０に記載のアセンブリ。
【請求項１２】
前記クッションが、異なる密度を有する第１および第２の発泡体部材を備えることを特徴とする、請求項１０に記載のアセンブリ。
【請求項１３】
前記基部および前記縦置き部材は、前記基部の前記長さ（ｘ）が、前記基部の前記幅（ｙ）と前記縦置き部材の前記幅（ｚ）の合計と実質的に等しいという規定された空間関係を有することを特徴とする、請求項１に記載のアセンブリ。
【請求項１４】
前記縦置き部材の高さ（ｈ’）が、前記基部の前記高さ（ｈ）より実質的に大きいことを特徴とする、請求項１に記載のアセンブリ。
【請求項１５】
基部と、
縦置き部材と、
前記縦置き部材を前記基部へと取外し可能に結合させるように構成された結合具とを備え、前記縦置き部材は、第１の家具アセンブリを形成するように、前記基部に対する第１の位置で前記基部へと取外し可能に結合させることができ、前記縦置き部材は、第２の家具アセンブリを形成するように、前記基部に対する第２の位置で前記基部へと取外し可能に結合させることができることを特徴とする、モジュール家具アセンブリ。
【請求項１６】
前記結合具は、前記縦置き部材を前記基部へと取外し可能に結合させることを容易にするように構成された、少なくとも１つの足結合具を備えることを特徴とする、請求項１５に記載のアセンブリ。
【請求項１７】
前記結合具は、ラチェット結合具を備え、前記結合具の前記各部分を互いに連結させると前記縦置き部材と前記基部とが結合されるように、前記ラチェット結合具の一部は、前記縦置き部材に結合され、前記ラチェット結合具の別の部分は、前記基部に結合されることを特徴とする、請求項１５に記載のアセンブリ。
【請求項１８】
前記結合具は、Ｕ字形部材を備え、前記Ｕ字形部材は、その間に前記縦置き部材の一部および前記基部の一部を挟むことを特徴とする、請求項１５に記載のアセンブリ。
【請求項１９】
前記結合具は、前記縦置き部材が少なくとも第１の方向に動くことを実質的に防止することを特徴とする、請求項１５に記載のアセンブリ。
【請求項２０】
前記縦置き部材が少なくとも第２の方向に動くことを実質的に防止する、第２の結合具をさらに備えることを特徴とする、請求項１９に記載のアセンブリ。
【請求項２１】
前記基部および前記縦置き部材は、前記基部の長さ（ｘ）が、前記基部の幅（ｙ）と前記縦置き部材の幅（ｚ）の合計と実質的に等しいという規定された空間関係を有することを特徴とする、請求項１５に記載のアセンブリ。
【請求項２２】
モジュール家具アセンブリであって、
基部上に使用者が座る間に前記使用者の体重を支持するように構成され、複数の当接面を有する基部と、
当接部材を有する縦置き部材とを備え、前記基部の前記当接面および前記縦置き部材の前記当接面は、前記基部を前記縦置き部材へと取外し可能に結合させることを容易にするようになされ、前記縦置き部材の前記当接面は、前記基部が前記縦置き部材と当接関係で配置されるときに、前記基部の少なくとも１つの前記当接面と対応するように構成され、前記モジュール家具アセンブリがさらに、
結合具を備え、前記結合具は、前記縦置き部材の前記当接面が前記基部の前記当接面とほぼ位置合せされるときに、前記基部を前記縦置き部材へと取外し可能に手で結合させるように構成され、そのため、前記基部を、第１の位置で前記縦置き部材へと取外し可能に手で結合させることができ、前記基部を、第２の位置で前記縦置き部材へと取外し可能に手で結合させることができることを特徴とする、モジュール家具アセンブリ。
【請求項２３】
前記基部および前記縦置き部材は、前記基部の長さ（ｘ）が、前記基部の幅（ｙ）と前記縦置き部材の幅（ｚ）の合計と実質的に等しいという規定された空間関係を有することを特徴とする、請求項２２に記載のアセンブリ。
【請求項２４】
前記基部の前記当接面は、ほぼ平坦な表面を備えることを特徴とする、請求項２２に記載のアセンブリ。
【請求項２５】
前記縦置き部材の前記当接面は、ほぼ平坦な面を備えることを特徴とする、請求項２２に記載のアセンブリ。
【請求項２６】
前記基部の前記当接面は、前記基部のほぼ平坦な面を含み、前記縦置き部材の前記当接面は、前記縦置き部材のほぼ平坦な面を含むことを特徴とする、請求項２２に記載のアセンブリ。
【請求項２７】
前記結合具は、前記基部に連結される１つの部分と、前記縦置き部材に連結される別の部分とを有する、２部品の結合具を含み、前記結合具の前記部分は、互いに取外し可能に手で結合させることができることを特徴とする、請求項２２に記載のアセンブリ。
【請求項２８】
モジュール家具アセンブリであって、
基部と、
第１の縦置き部材と、
第２の縦置き部材と、
第３の縦置き部材とを備え、前記縦置き部材は、相互交換可能となるように実質的に同一の構成を有し、前記モジュール家具アセンブリはさらに、
前記第１の縦置き部材を前記基部へと取外し可能に結合させる第１の結合具と、
前記第２の縦置き部材を前記基部へと取外し可能に結合させる第２の結合具と、
前記第３の縦置き部材を前記基部へと取外し可能に結合させる第３の結合具とを備え、それによって椅子を形成することを特徴とする、モジュール家具アセンブリ。
【請求項２９】
前記基部および前記縦置き部材は、前記基部の前記長さ（ｘ）が、前記基部の前記幅（ｙ）と前記縦置き部材の前記幅（ｚ）の合計と実質的に等しいという規定された空間関係を有することを特徴とする、請求項２８に記載のアセンブリ。
【請求項３０】
第１の基部と、
前記基部が相互交換可能となるように、前記第１の基部と実質的に同一の寸法を有する第２の基部と、
第１の縦置き部材と、
第２の縦置き部材と、
第３の縦置き部材と、
第４の縦置き部材とを備え、前記第１、第２、第３、第４の縦置き部材は、相互交換可能となるように実質的に同一の寸法を有し、
前記基部および縦置き部材は、第１のソファアセンブリを形成するために第１の位置に位置決めすることができ、前記基部および縦置き部材は、前記第１のソファアセンブリと異なる構成を有する第２のソファアセンブリを形成するために、第２の位置に位置決めすることができることを特徴とする、モジュールソファアセンブリ。
【請求項３１】
前記第１の基部を前記第２の基部に結合させるように構成された第１のＵ字形結合具と、前記第１、第２、第３、および第４の縦置き部材を、前記第１および第２の基部の少なくとも一方へとそれぞれ結合させるように構成された、第２、第３、第４、および第５のＵ字形結合具をさらに備えることを特徴とする、請求項３０に記載のソファアセンブリ。
【請求項３２】
前記基部および前記縦置き部材は、前記基部の前記長さ（ｘ）が、前記基部の前記幅（ｙ）と前記縦置き部材の前記幅（ｚ）の合計と実質的に等しいという規定された空間関係を有することを特徴とする、請求項３１に記載のソファアセンブリ。
【請求項３３】
基部と、
縦置き部材と、
前記縦置き部材が少なくとも第１の方向に動くことを防止する、第１の結合具と、
前記縦置き部材が少なくとも第２の方向に動くことを実質的に防止する、第２の結合具とをさらに備えることを特徴とする、モジュール家具アセンブリ。
【請求項３４】
前記第１の結合具は、前記基部の当接面を前記縦置き部材の当接面へと結合させ、前記第２の結合具は、前記基部の少なくとも１つの足を、前記縦置き部材の少なくとも１つの足に結合させることを特徴とする、請求項３３に記載のアセンブリ。
【請求項３５】
基部と、フレームアセンブリの下側に連結された少なくとも１つの足と、を備え、
前記少なくとも１つの足は、前記基部が位置決めされる床の上方に、フレームアセンブリの少なくとも一部を持ち上げ、前記フレームアセンブリは、少なくとも１つの開口を有し、
前記基部のフレームアセンブリを被覆するように構成した基部ライナと、
フレームアセンブリと、縦置き部材のフレームアセンブリの下側に連結された少なくとも１つの足とを備えた縦置き部材であって、前記縦置き部材の少なくとも１つの足は前記床の上に前記縦置き部材のフレームアセンブリを持ち上げ、前記縦置き部材は少なくとも１つの開口を有する前期縦置き部材と、
前記縦置き部材のフレームアセンブリを被覆するように構成された縦置き部材ライナと、
前記基部および縦置き部材が床の上に位置決めされ、かつ基部および縦置き部材の開口が実質的に位置合せされた状態で、前記縦置き部材を前記基部に取外し可能に結合する結合具であって、前記縦置き部材は第１の家具アセンブリを形成するように前記基部に対し第１の位置において前記基部に取外し可能に結合可能であり、かつ前記縦置き部材は第２の家具アセンブリを形成するように、前記基部に対し第２の位置に前記基部に取外し可能に結合可能である結合具と、を具え、
前記結合具は、前記縦置き部材を前記基部に結合するとき、前記結合部は下側に押し下げられ、それによって前記基部および前記縦置き部材が前記床の上で垂直に位置決めされる間に、前記結合具が挿入あるいは取り外されるのを可能にすることを特徴とするモジュール家具アセンブリ。
【請求項３６】
基部と、
縦置き部材と、
前記縦置き部材を前記基部に取外し可能に結合するよう構成された結合具と、を備え、
前記縦置き部材は、第１家具アセンブリを形成するように前記基部に対し、第１の位置において前記基部に取外し可能に結合することが可能であり、かつ前記縦置き部材は、第２の家具部材を形成するように基部に対し、第２の位置において前記基部に取外し可能に結合され、
前記連結具は、ラッチ結合具を備え、前記連結部の各部を互いに結合させるときに前記縦置き部材と前記基部とが結合されるように、前記ラッチ結合部の１つの部分は前記縦置き部材に結合され、前記ラッチ結合部の他の部分は前記縦置き部材に結合されることを特徴とするモジュール家具アセンブリ。
【請求項３７】
前記モジュール家具は、基部と、縦置き部材とを有し、
前記ライナアセンブリは、
前記基部を被覆するように構成され、長さ（ｘ）と幅（ｙ）を有する基部ライナ、
前記縦置き部材を被覆するように構成され、長さ（ｘ’）及び幅（ｚ）を有する縦置き部材ライナと、を備え、
前記基部ライナと縦置き部材ライナは、規定された空間的関係を有し、
前記規定された空間的関係は、
前記基部ライナの長さ（ｘ）が、前記縦置き部材ライナの長さ（ｘ’）に実質的に等しく、かつ、
前記基部ライナの長さ（ｘ）は、前記基部ライナの幅（ｙ）と縦置き部材ライナの幅（ｚ）との合計に実質的に等しいことを特徴とするモジュール家具ライナアセンブリ。
【請求項３８】
ユーザが座っている間の体重を支持するように構成され、複数の当接面と、少なくとも１つの開口を有する基部と、
前記基部の少なくとも１つの部分を取外し可能に被覆するように構成され、複数の当接面と少なくとも１つの開口とを有する基部ライナと、
前記当接面と少なくとも１つの開口とを有する縦置き部材であって、前記基部の当接面と前記縦置き部材の当接面は、前記基部を前記縦置き部材へと取外し可能に結合することを容易にするように構成され、前記縦置き部材の当接面は、前記基部が前記縦置き部材との当接関係で配置されるときに、前記基部の少なくとも１つの当接面に対応する前記縦置き部材と、
前記縦置き部材の少なくとも一部を取外し可能に被覆し、当接面と少なくとも１つの開口を有する縦置き部材ライナと、
前記縦置き部材の前記当接面と前記開口が前記基部の当接面と前記基部の開口に実質的にそれぞれ位置合せされ、かつ前記基部と前記縦置き部材は床に位置決めされた時、前記基部を前記縦置き部材へと取外し可能に手で結合させる結合具であって、前記基部が第１の位置において前記縦置き部材に取外し可能に手で結合させ、かつ第２の位置において縦置き部材に取外し可能に手で結合させるよう構成される前記結合部と、を備え、
前記結合具は、前記縦置き部材を前記基部に結合するとき下方に押し下げられ、それによって前記基部と前記縦置き部材とが床上に垂直に位置決めされている間に、前記連結具が挿入または除去されることを可能にすることを特徴とするモジュール家具アセンブリ。
【請求項３９】
前記ベースライナは、少なくとも基部の一部を被覆し、
前記ベースは、
フレームアセンブリと、
前記フレームアセンブリに搭載されたクッションと、を備えることを特徴とする請求項３８に記載のアセンブリ。
【請求項４０】
前記基部ライナと縦置き部材ライナとは、規定された空間関係を有し、前記基部ライナの長さ（ｘ）は、前記基部ライナの幅（ｙ）と縦置き部材ライナの幅（ｚ）の合計と実質的に等しいことを特徴とする請求項３８に記載のアセンブリ。
【請求項４１】
前記基部ライナの当接面は、実質的に平坦な面を有することを特徴とする請求項３８に記載のアセンブリ。
【請求項４２】
前記縦置き部材ライナの当接面は、実質的に平坦な面を有することを特徴とする請求項３８に記載のアセンブリ。
【請求項４３】
前記基部ライナの当接面は、実質的に平坦な面を備え、前記縦置き部材ライナの当接面は、実質的に平坦な面を備えることを特徴とする請求項３８に記載のアセンブリ。
【請求項４４】
前記結合具は、前記基部に連結された一つの部分と、前記縦置き部材に連結された他の部分とを有する二つの結合部を有し、前記二つの結合部は手で取外し可能に互いに結合されることを特徴とする請求項３８に記載のアセンブリ。
【請求項４５】
前記基部のライナは、少なくとも１つの開口を有し、前記開口は、前記基部のフレームアセンブリにおける開口に実質的に対応し、前記縦置き部材ライナは、少なくとも１つの開口を有し、前記開口は縦置き部材のフレームアセンブリの開口に実質的に対応していることを特徴とする請求項３５に記載のアセンブリ。
【請求項４６】
前記基部ライナおよび前記縦置き部材ライナは、規定された空間的関係を有し、前記基部ライナの長さ（ｘ）は実質的に、前記基部ライナの幅（ｙ）と縦置き部材の幅（ｚ）との合計に実質的に等しいことを特徴とする請求項３５に記載のアセンブリ。
【請求項４７】
基部を実質的に取外し可能に被覆するように構成した基部カバーであって前記基部カバーは、長さ（ｘ）及び幅（ｚ）を有し、
縦置き部材を実質的に取外し可能に被覆可能な縦置き部材カバーであって、前記縦置き部材カバーは、長さ（ｘ‘）および幅（ｚ）を有し、
前記基部カバーおよび縦置き部材カバーは、空間的関係を有し、前記空間的関係は、
前記基部カバーの長さ（ｘ）は、前記縦置き部材カバーの長さ（ｘ‘）と実質的に等しく、かつ前記基部カバーの長さ（ｘ）は、前記基部カバーの幅（ｙ）と、前記縦置き部材の幅（ｚ）の合計に実質的に等しく、
前記縦置きで材カバーは、第１のカバーアセンブリを形成するように、前記基部カバーに対し第１の位置において前記基部カバーに取外し可能に結合されるよう構成され、かつ
前記縦置き部材カバーは、第２のカバーアセンブリを形成するように、前記基部に対し、第２の位置において前記基部カバーに取外し可能に結合されるよう構成されることを特徴とするモジュール家具カバーアセンブリ。
【請求項４８】
基部と縦置き部材とをさらに備え、
前記基部カバーは、前記基部を被覆するよう構成され、
前記縦置き部材カバーは、縦置き部材を被覆するように構成されていることを特徴とする請求項４７に記載のアセンブリ。
【請求項４９】
基部と、縦置き部材とをさらに備え、
前記基部ライナは、前記基部を被覆するよう構成され、
前記基部縦置き部材ライナは、前記縦置き部材を被覆するよう構成されていることを特徴とする請求項３７に記載のアセンブリ。
【請求項５０】
前記基部は、ユーザが座っている間の体重を支持するよう構成されていることを特徴とする請求項４９に記載のアセンブリ。
【請求項５１】
前記基部は、選択的に前記縦置き部材に結合されるよう構成されていることを特徴とする請求項４９に記載のアセンブリ。
【請求項５２】
前記基部を手で取外し可能に前記縦置き部材に結合されるよう構成されていることを特徴とする請求項４９に記載のアセンブリ。
【請求項５３】
前記基部は、前記第１の家具アセンブリを形成するために、第１の家具アセンブリを構成するために第１の方向において前記縦置き部材に選択的に結合可能であり、かつ第２の家具アセンブリを形成するために、第２の方向において前記縦置き部材と選択的に結合されることを特徴とする請求項４９に記載のアセンブリ。
【請求項５４】
前記縦置き部材の高さ（ｈ’）は、前記基部ライナの高さ（ｈ）より実質的に大きいことを特徴とする請求項３７に記載のアセンブリ。
【請求項５５】
長さ（ｘ）及び幅（ｙ）を有する第１の基部ライナと、
相互交換可能となるように前記第１の基部ライナと実質的に同一の寸法を有する第２の基部ライナと、
長さ（ｘ’）及び幅（ｚ）を有する第１の縦置き部材と、
第２の縦置き部材ライナと、
第３の縦置き部材ライナと、
第４の縦置き部材ライナと、を備え、
前記第１、第２、第３、第４の縦置き部材のそれぞれは前記縦置き部材ライナが交換可能なように、実質的に同一の寸法を有し、
前記基部ライナと縦置き部材ライナが、第１のソファライナアセンブリを形成するように第１の位置に位置決め可能であり、かつ第１のソファアライナセンブリとは異なる構成を有する第２のソファライナアセンブリを形成するように第２の位置において位置決め可能であるように、前記基部ライナの長さ（ｘ）は、第１の基部ライナの長さ（ｘ‘）と実質的に等しく、前記第１の基部ライナの幅（ｙ）と第１の縦置き部材ライナの幅（ｚ）の合計に実質的に等しいことを特徴とするモジュールソファライナアセンブリ。
【請求項５６】
フレームアセンブリと、前記フレームアセンブリの下側に結合される２以上の足を有する基部であって、前記２以上の足が、前記基部が位置決めされる床の上方にフレームアセンブリの少なくとも一部を持ち上げる前記基部と、
前記基部のフレームアセンブリを少なくとも部分的に被覆するように構成された基部カバーと、
フレームアセンブリと、縦置き部材のフレームアセンブリの下側に結合された２つ以上の足と、を備えた縦置き部材であって、前記縦置き部材の前記２つ以上の足が、前記床の上方に縦置き部材の前記フレームアセンブリを持ち上げる前記縦置き部材と、
前記縦置き部材のフレームアセンブリを少なくとも部分的に被覆するように構成された縦置き部材カバーと、
前記縦置き部材が少なくとも第１の方向において移動するのを実質的に阻止する第１の結合具であって、前記縦置き部材の当接面に前記基部の当接面を結合させる前記第１の結合部と、
前記縦置き部材が少なくとも前記第２の方向に移動するのを実質的に阻止する第２の結合具であって、前記基部の少なくとも１つの足を前記縦置き部材の少なくとも１つの足に結合させる前記第２の結合部と、を備えることを特徴とするモジュール家具アセンブリ。
【請求項５７】
前記基部カバー及び前記縦置き部材カバーは、規定された空間的関係を有し、前記基部カバーの前記長さ（ｘ）は、前記記載の幅（ｙ）と前記縦置き部材の幅（ｚ）との合計に実質的に等しいことを特徴とする請求項５６に記載のアセンブリ。
【請求項５８】
長さ（ｘ）及び幅（ｙ）を有する基部カバーと、長さ（ｘ’）及び幅（ｚ）を有する縦置き部材と、を有し、前記ベースカバー及び縦置き部材カバーは、規定された空間的関係を有し、前記規定された空間的関係は、
前記基部カバーの長さ（ｘ）が、前記縦置き部材カバーの長さ（ｘ’）と実質的に等しく、
前記基部カバーの前記長さ（ｘ）は、前記基部カバーの幅（ｙ）と前記縦置き部材カバーの幅（ｚ）との合計に実質的に等しいことを特徴とする請求項５６に記載のアセンブリ。